(57)【特許請求の範囲】
【請求項１】
ロッドと、
前記ロッドの一端近傍に取り付けられた巻き取り部材と、
前記巻き取り部材から繰り出され、前記ロッドに沿って案内されて前記ロッドから垂下する、一面に先端からの距離に応じた目盛が表示されたメジャー部材と、
前記ロッドに沿って、前記ロッドの先端を含む複数の位置に設けられ、前記メジャー部材が挿通される扁平な孔が形成された複数のガイド部材と、
前記メジャー部材の先端に取り付けられた錘と、を備え、
前記メジャー部材は、前記目盛が表示された前記一面が下側に向くように前記ガイド部材により前記ロッドに沿って案内され、前記ロッドの先端に設けられたガイド部材を介して、前記一面が前記巻き取り部材側を向くように垂下することを特徴とする水深測定装置。
【請求項２】
請求項１記載の水深測定装置を用いて水深を測定する方法であって、
前記メジャー部材の垂下する部分が測定の対象となる位置の水面の上方に到達するように前記ロッドを配置し、
前記巻き取り部材により前記錘が水底に到達するまで前記メジャー部材を繰り出し、
前記メジャー部材の水面高さにおける目盛を読み取ることにより水深を測定することを特徴とする水深測定方法。
【請求項３】
請求項２記載の水深測定方法により、水底に土砂が堆積していない状態の基準となる水深と、現在の水深とを夫々測定し、
前記測定した基準となる水深と、現在の水深との差に基づき土砂の堆積量を推定することを特徴とする推定の土砂の堆積量の推定方法。
【発明の詳細な説明】
【技術分野】
【０００１】
本発明は、ダムなどの水深を護岸から測定するための装置、この装置を用いた水深測定方法、及び水底の土砂の堆積量の推定方法に関する。
【背景技術】
【０００２】
ダムには上流側河川から土砂が流れ込み、ダム内に堆積する。このように、ダム内に流れ込んだ土砂の堆積量が増加すると、ダムに作用する荷重が増大してしまう。このため、定期的にダム内の水の水深を測定し、測定した水深に基づきダム内の土砂の堆積量を推定し、堆積量が所定の量を超えた場合には排砂作業を行っている。
【０００３】
このような水深を測定する方法として、例えば、特許文献１には、水辺の基準位置より水面に浮遊するフロートポールを測定位置まで伸ばし、先端に錘が接続され、目盛が表示された測定用ロープをこのフロートポールに沿って送り出し、さらに、フロートポールの先端より錘が水底に到達するまで測定用ロープを垂下させ、基準位置において測定用ロープの目盛を読むことにより、水深を測定する方法が記載されている。
【特許文献１】特開平９−２４３３６３号公報
【発明の開示】
【発明が解決しようとする課題】
【０００４】
しかしながら、特許文献１記載の方法では、フロートポールを水辺から水面に沿って基準位置まで伸ばさなければならず、水辺から測定を行わなければならない。このため、例えば、ダムや堰の上部などのような水辺から離れた位置から水深を測定することができないという問題があった。
【０００５】
本発明は上記の問題に鑑みなされたものであり、その目的は、水辺より離れた位置であっても水深を測定することができるようにすることである。
【課題を解決するための手段】
【０００６】
本発明の水深測定装置は、ロッドと、前記ロッドの一端近傍に取り付けられた巻き取り部材と、前記巻き取り部材から繰り出され、前記ロッドに沿って案内されて前記ロッドから垂下する、一面に先端からの距離に応じた目盛が表示されたメジャー部材と、前記ロッドに沿って、前記ロッドの先端を含む複数の位置に設けられ、前記メジャー部材が挿通される扁平な孔が形成された複数のガイド部材と、前記メジャー部材の先端に取り付けられた錘と、を備え、前記メジャー部材は、前記目盛が表示された前記一面が下側に向くように前記ガイド部材により前記ロッドに沿って案内され、前記ロッドの先端に設けられたガイド部材を介して、前記一面が前記巻き取り部材側を向くように垂下することを特徴とする。
【０００８】
また、本発明の水深測定方法は、上記の水深測定装置を用いて水深を測定する方法であって、前記メジャー部材の垂下する部分が測定の対象となる位置の水面の上方に到達するように前記ロッドを配置し、前記巻き取り部材により前記錘が水底に到達するまで前記メジャー部材を繰り出し、前記メジャー部材の水面高さにおける目盛を読み取ることにより水深を測定してもよい。
【０００９】
また、本発明の水底の土砂の堆積量を推定する方法は、上記の水深測定方法により、水底に土砂が堆積していない状態の基準となる水深と、現在の水深とを夫々測定し、前記測定した基準となる水深と、現在の水深との差に基づき土砂の堆積量を推定することを特徴とする。
【発明の効果】
【００１０】
本発明によれば、ロッドの一部より垂下するメジャーの水面の高さにあたる目盛を読むため、水面と高さが異なる位置や水辺から離れた位置などからでも、水深を測定することができる。
【発明を実施するための最良の形態】
【００１１】
以下、本発明の水深測定装置の一実施形態を図面を参照しながら詳細に説明する。図１は、本実施形態の水深測定装置１０を示す図である。同図に示すように、水深測定装置１０は、測定を行う際に測定者が把持する把持部１１Ａを備えたロッド１１と、ロッド１１に取り付けられた複数のメジャーガイド１３と、メジャーガイド１３に案内されロッド１１の先端より垂下するメジャー１５と、ロッド１１の把持部１１Ａ側に取り付けられたメジャー１５を巻き取り及び送り出し可能な巻き取り装置１４と、メジャー１５の先端に取り付けられた錘１６とにより構成される。
【００１２】
ロッド１１は、把持部１１Ａ側から先端に向かって、径が小さくなる複数のカーボン製の円筒部材１２から構成され、これら複数の円筒部材１２が入れ子状に収納されることにより収縮可能である。また、ロッド１１の側面には、ロッド１１を伸長させた状態における先端からの距離を示す目盛１１Ｂが表示されている。
【００１３】
メジャー１５の一面には、錘１６の取り付けられた端部からの距離を示す目盛が表示されている。メジャーガイド１３はメジャー１５を挿通可能な扁平な孔（不図示）が形成された部材からなり、メジャー１５は、メジャーガイド１３の孔に夫々挿通されることにより、目盛が表示された面が下側に向けられた状態でロッド１１に沿って案内される。また、ロッド１１の先端に取り付けられたメジャーガイド１３Ａはほぼ垂直に屈曲しており、ロッド１１の先端まで到達したメジャー１５はメジャーガイド１３Ａにより案内され、垂下する。このようにメジャーガイド１３、１３Ａに案内されることにより、メジャー１５のロッド先端より垂下した部分は目盛が表示された面が把持部１１Ａ側に向くこととなる。
【００１４】
巻き取り装置１４は、メジャー１５を巻き付けるロール（不図示）を備え、このロールに取り付けられた取手１４Ａを回転させることにより、メジャー１５の繰り出し及び巻き取りが可能である。
【００１５】
以下、本実施形態の水深測定装置１０を用いて、土砂の堆積量を測定する方法を説明する。なお、以下の説明では、ダムより所定の距離の測定地点における土砂の堆積量を測定する場合を例として説明する。
図２は水深測定装置１０を用いて土砂の堆積量を測定する方法を説明するための図である。同図に示すように、測定者２０はダム２１の上部より水上に向かってほぼ水平に、ロッド１１の先端が所定の測定位置まで到達するようにロッド１１を伸長させる。具体的には、ダム２１の端部Ｅ（図２参照）の位置でのロッド１１の側部に表示された目盛が示す距離が、ダム２１の端部から測定位置までの距離と等しくなるまで、先端側の円筒部材１２から順に測定位置に向かって繰り出す。
【００１６】
次に、メジャー１５の先端に取り付けられた錘１６が水底に到達するまで、巻き取り装置１４によりメジャー１５を繰り出す。なお、錘１６が水底に到達したことは、例えば、メジャー１４の緊張が無くなることにより確認することができる。
【００１７】
そして、測定者２０が目視又は双眼鏡などを用いて、水面高さにあたるメジャー１４の目盛を読みとることにより、錘１６から水面までの距離、すなわち現在の水深を測定することができる。
【００１８】
このようにして測定した現在の水深と、土砂が堆積していない状態における水深との差を算出することにより堆積した土砂２２の厚さを求めることができ、この土砂２２の厚さを複数の測定点で測定することにより土砂２２の堆積量を推定することができる。なお、土砂２２が堆積していない状態における水深は、土砂２２を除去した際に測定した値を用いてもよいし、ダム内の水底が略同じ高さであり、かつ、土砂２２が堆積していないような場所において測定した値を用いてもよい。
【００１９】
以上説明したように、本実施形態によれば、ロッド１１の先端より垂下するメジャー１５の水面の高さにあたる目盛を読むため、水面と高さが異なるような位置や、水辺から離れた位置であっても水深を測定することができる。
【００２０】
また、メジャー１５は風やダム内の水に生じた波によりねじれ等を生じることがあり、風や波などによりメジャー１５にねじれてしまうと、目盛が表示されている面を測定者２０が確認することが困難になるが、メジャーガイド１３によりメジャー１５のロッド１１の先端より垂下する部分の目盛が表示されている側の面がロッド１１の把持部１１Ａ側（すなわち、測定者２０のいる側）に向くように案内されるため、風や波の影響を受けることなく確実に目盛を確認することができ、測定の手間を削減することができる。
【００２１】
また、ロッド１１をカーボン製の複数の円筒部材１２により構成したため、測定用装置１０が軽量で作業性がよく、さらに、ロッド１１を伸縮可能としたため、コンパクトな状態で持ち運び可能である。
なお、本実施形態では、ロッド１１を複数の径の異なる円筒部材１２により構成することにより伸縮可能としたが、必ずしも、ロッド１１を伸縮可能とする必要はない。ただし、ロッド１１を伸縮可能とすることにより、持ち運びの際に嵩張らず作業性がよい。
【図面の簡単な説明】
【００２２】
【図１】本実施形態の水深測定装置である。
【図２】本実施形態の水深測定装置を用いて、水深を測定する様子を示す図である。
【符号の説明】
【００２３】
１０  水深測定装置
１１  ロッド
１１Ａ  把持部
１２  円筒部材
１３  メジャーガイド
１４  巻き取り装置
１５  メジャー
１６  錘
２０  測定者
２１  ダム
２２  土砂
【図１】
0005089410.tif 000002
【図２】
0005089410.tif 000003